(57)【特許請求の範囲】
【請求項１】
ハウジング、このハウジング内に設けられ、流入口、流出口および弁体を有する水栓本体、前記ハウジングの上面部に配置され、前記水栓本体の流出口から流出可能な水の流量を調整するための流量調整ハンドル、およびこの流量調整ハンドルの回動操作を前記弁体に伝達するための伝達機構よりなる水道用コンセントを用いた給水機構であって、既設の水栓の給水配管に、前記水栓を取り外した状態で継手を接続し、この継手に延長管の一方端を接続するとともに、この延長管を壁面に沿わせながら前記延長管の他方端を前記水道用コンセントに接続するように構成し、
さらに、前記壁面が家屋等の外壁面であり、前記水道用コンセントを家屋等の外壁に設置してあることを特徴とする水道用コンセントを用いた給水機構。
【請求項２】
ハウジング、このハウジング内に設けられ、流入口、流出口および弁体を有する水栓本体、前記ハウジングの上面部に配置され、前記水栓本体の流出口から流出可能な水の流量を調整するための流量調整ハンドル、およびこの流量調整ハンドルの回動操作を前記弁体に伝達するための伝達機構よりなる水道用コンセントを用いた給水機構であって、既設の水栓の給水配管に、前記水栓を取り外した状態で、少なくとも二つの出口を有する分岐用の継手を接続し、この継手の一方の出口に水栓を接続するとともに、前記継手の他方の出口に延長管の一方端を接続する一方、前記延長管を壁面に沿わせながら前記延長管の他方端を前記水道用コンセントに接続するように構成し、
さらに、前記壁面が家屋等の外壁面であり、前記水道用コンセントを家屋等の外壁に設置してあることを特徴とする水道用コンセントを用いた給水機構。
【請求項３】
前記流量調整ハンドルは前記ハウジングの上面部に形成された開口に配置され、前記延長管がフレキシブル管である請求項１または請求項２に記載の水道用コンセントを用いた給水機構。
【請求項４】
前記水道用コンセントの前記流入口に連通する流入パイプを設け、この流入パイプに雄ねじを形成し、この雄ねじに六角ナットを締付けて六角ナット付きのフレキシブル管の他方端を前記流入パイプに直接接続してある請求項１ないし請求項３のいずれかに記載の水道用コンセントを用いた給水機構。
【請求項５】
ハウジング、このハウジング内に設けられ、流入口、流出口および弁体を有する水栓本体、前記ハウジングの上面部に配置され、前記水栓本体の流出口から流出可能な水の流量を調整するための流量調整ハンドル、およびこの流量調整ハンドルの回動操作を前記弁体に伝達するための伝達機構よりなる水道用コンセントを用いた給湯機構であって、給水配管に給湯器を接続するとともに、この給湯器の出口に継手を接続し、この継手に延長管の一方端を接続するとともに、この延長管を壁面に沿わせながら前記延長管の他方端を前記水道用コンセントに接続するように構成し、
さらに、前記壁面が家屋等の外壁面であり、前記水道用コンセントを家屋等の外壁に設置してあることを特徴とする水道用コンセントを用いた給湯機構。
【請求項６】
ハウジング、このハウジング内に設けられ、流入口、流出口および弁体を有する水栓本体、前記ハウジングの上面部に配置され、前記水栓本体の流出口から流出可能な水の流量を調整するための流量調整ハンドル、およびこの流量調整ハンドルの回動操作を前記弁体に伝達するための伝達機構よりなる水道用コンセントを用いた給湯機構であって、給水配管に給湯器を接続するとともに、この給湯器の出口に少なくとも二つの出口を有する分岐用の継手を接続し、前記継手の他方の出口に延長管の一方端を接続する一方、前記延長管を壁面に沿わせながら前記延長管の他方端を前記水道用コンセントに接続するように構成し、
さらに、前記壁面が家屋等の外壁面であり、前記水道用コンセントを家屋等の外壁に設置してあることを特徴とする水道用コンセントを用いた給湯機構。
【請求項７】
前記流量調整ハンドルは前記ハウジングの上面部に形成された開口に配置され、前記延長管がフレキシブル管である請求項５または請求項６に記載の水道用コンセントを用いた給湯機構。
【請求項８】
前記水道用コンセントの前記流入口に連通する流入パイプを設け、この流入パイプに雄ねじを形成し、この雄ねじに六角ナットを締付けて六角ナット付きのフレキシブル管の他方端を前記流入パイプに直接接続してある請求項５ないし請求項７のいずれかに記載の水道用コンセントを用いた給湯機構。
【発明の詳細な説明】
【０００１】
【発明の属する技術分野】
この発明は、水道用コンセントを用いた給水機構および給湯機構に関する。
【０００２】
【従来の技術】
水栓の給水配管を利用した給水機構として、図１３、図１４に示すように、既設の例えば散水器ホース接続用自在水栓（単水栓）９０の給水配管９０ａに例えば二つの出口９１，９２を有する分岐用の継手９３を接続し、この継手９３の一方の出口９１に前記水栓９０を接続するとともに、他方の出口９２に金属製のフレキシブル管（延長管の一例）９４の一方端９５を接続する一方、前記フレキシブル管９４を家屋等の外壁面９６に沿わせながら前記フレキシブル管９４の他方端９７を別の水栓（単水栓）９８に接続するとともに、この水栓９８の給水口に座付Ｌ型ソケット１００を接続し、このソケット１００の座部１０１に形成されたビス孔１０２を介して水栓９８を壁面９６に固定するように構成したものがある。９９は前記ビス孔１０２に挿通されるビス、１０３は前記フレキシブル管９４を壁面９６に留めておくための留め具、１０４は水栓９０の取り付け台、１０５は給水配管９０ａの給水口である。また、１０６は、水栓９８が増設された駐車場である。
【０００３】
【発明が解決しようとする課題】
しかし、前記水栓（単水栓）９８の水栓本体８６に接続されている蛇口８７の先端から壁面９６までの突出長さＡが、自在水栓（単水栓）９８の長さ（蛇口８７の先端から座金８８までの長さａ）ではなく、その長さａにソケット１００の長さｂを加えたものとなり、例えば１５０〜２５０ｍｍと長く出っ張っているので、例えば、自動車１０８の設置場所のスペースが非常に狭くなっている場合でも自動車１０８を壁面９６一杯に駐車させることは困難であった。
【０００４】
また、駐車場１０６に湯用の水栓を増設することも望まれている。
【０００５】
更に、前記水栓（単水栓）９８の操作ハンドル８３の回動操作により流量調節を行っているため、操作が煩雑であるとともに、操作ハンドル８３の回動操作を繰り返すことにより弁座８４に当接・離間するパッキン８５が劣化するという問題がある。パッキン８５が劣化すると、操作ハンドル８３を締めつけても、完全に止水することができず、水漏れが生じ、止水する際、操作ハンドル８３をきつく締めつける必要があるという問題がある。
【０００６】
この発明は、前記の点に留意してなされたものであり、その目的は、壁面からの突出長さを短くでき、耐久性を有し、更に、容易に後施工できる新規な水道用コンセントを用いた給水機構および給湯機構を提供することである。
【０００７】
【課題を解決するための手段】
上記目的を達成するために、この発明の水道用コンセントを用いた給水機構は、ハウジング、このハウジング内に設けられ、流入口、流出口および弁体を有する水栓本体、前記ハウジングの上面部に配置され、前記水栓本体の流出口から流出可能な水の流量を調整するための流量調整ハンドル、およびこの流量調整ハンドルの回動操作を前記弁体に伝達するための伝達機構よりなる水道用コンセントを用いた給水機構であって、既設の水栓の給水配管に、前記水栓を取り外した状態で継手を接続し、この継手に延長管の一方端を接続するとともに、この延長管を壁面に沿わせながら前記延長管の他方端を前記水道用コンセントに接続するように構成し、
さらに、前記壁面が家屋等の外壁面であり、前記水道用コンセントを家屋等の外壁に設置してある（請求項１）。
【０００８】
また、この発明は別の観点から、ハウジング、このハウジング内に設けられ、流入口、流出口および弁体を有する水栓本体、前記ハウジングの上面部に配置され、前記水栓本体の流出口から流出可能な水の流量を調整するための流量調整ハンドル、およびこの流量調整ハンドルの回動操作を前記弁体に伝達するための伝達機構よりなる水道用コンセントを用いた給水機構であって、既設の水栓の給水配管に、前記水栓を取り外した状態で、少なくとも二つの出口を有する分岐用の継手を接続し、この継手の一方の出口に水栓を接続するとともに、前記継手の他方の出口に延長管の一方端を接続する一方、前記延長管を壁面に沿わせながら前記延長管の他方端を前記水道用コンセントに接続するように構成し、
さらに、前記壁面が家屋等の外壁面であり、前記水道用コンセントを家屋等の外壁に設置してあることを特徴とする水道用コンセントを用いた給水機構を提供する（請求項２）。
この場合、前記流量調整ハンドルは前記ハウジングの上面部に形成された開口に配置され、前記延長管がフレキシブル管であるのが好ましく（請求項３）、また、前記水道用コンセントの前記流入口に連通する流入パイプを設け、この流入パイプに雄ねじを形成し、この雄ねじに六角ナットを締付けて六角ナット付きのフレキシブル管の他方端を前記流入パイプに直接接続してあるのが好ましい（請求項４）。
【０００９】
また、この発明の水道用コンセントを用いた給湯機構は、ハウジング、このハウジング内に設けられ、流入口、流出口および弁体を有する水栓本体、前記ハウジングの上面部に配置され、前記水栓本体の流出口から流出可能な水の流量を調整するための流量調整ハンドル、およびこの流量調整ハンドルの回動操作を前記弁体に伝達するための伝達機構よりなる水道用コンセントを用いた給湯機構であって、給水配管に給湯器を接続するとともに、この給湯器の出口に継手を接続し、この継手に延長管の一方端を接続するとともに、この延長管を壁面に沿わせながら前記延長管の他方端を前記水道用コンセントに接続するように構成し、
さらに、前記壁面が家屋等の外壁面であり、前記水道用コンセントを家屋等の外壁に設置してある（請求項５）。
【００１０】
また、この発明は別の観点から、ハウジング、このハウジング内に設けられ、流入口、流出口および弁体を有する水栓本体、前記ハウジングの上面部に配置され、前記水栓本体の流出口から流出可能な水の流量を調整するための流量調整ハンドル、およびこの流量調整ハンドルの回動操作を前記弁体に伝達するための伝達機構よりなる水道用コンセントを用いた給湯機構であって、給水配管に給湯器を接続するとともに、この給湯器の出口に少なくとも二つの出口を有する分岐用の継手を接続し、前記継手の他方の出口に延長管の一方端を接続する一方、前記延長管を壁面に沿わせながら前記延長管の他方端を前記水道用コンセントに接続するように構成し、
さらに、前記壁面が家屋等の外壁面であり、前記水道用コンセントを家屋等の外壁に設置してあることを特徴とする水道用コンセントを用いた給湯機構を提供する（請求項６）。
この場合、前記流量調整ハンドルは前記ハウジングの上面部に形成された開口に配置され、前記延長管がフレキシブル管であるのが好ましく（請求項７）、また、前記水道用コンセントの前記流入口に連通する流入パイプを設け、この流入パイプに雄ねじを形成し、この雄ねじに六角ナットを締付けて六角ナット付きのフレキシブル管の他方端を前記流入パイプに直接接続してあるのが好ましい（請求項８）。
【００１１】
【発明の実施の形態】
以下、この発明の実施形態を、図面を参照しながら説明する。図１〜図３は、水道用コンセントＶに設けられた流量調整ハンドル６をハウジング１の上面部９ｄに形成された開口Ｓ1 に配置してあるこの発明の第１の実施形態を示す。なお、図１〜図３において、図１３、図１４に示した符号と同一のものは、同一または相当物である。
【００１２】
図１〜図３において、水道用コンセントＶは、ほぼ直方体形状のハウジング１と、流入口２および流出口３を有し、流入口２および流出口３間にカートリッジ式の弁体４を有する水栓本体５と、流出口３から流出可能な水の流量を調整するための流量調整ハンドル６と、この流量調整ハンドル６の回動操作を前記弁体４に伝達するための伝達機構とを主として備えている。この実施形態では、流量調整ハンドル６を後述するハウジング１の上面部９ｄに形成された開口Ｓ1 に配置してある。
【００１３】
前記カートリッジ式の弁体４は、セラミック製で、その軸心回りに回転可能な筒体４ａを有している。そして、前記流入口２から水栓本体５内に至った水は、筒体４ａの内部と、この筒体４ａの側壁に形成され、流入口２に連通する貫通孔４ｂとを経た後に流出口３から送出されるように構成されており、前記筒体４ａの回動操作に伴って、流入口３と前記貫通孔４ｂとの重なり部分の大きさが変化するため、水栓本体５内から流出口３に送出可能な水の流量も変化することになる。従って、筒体４ａの回動操作を行うことにより、流出口３から送出される水の流量を調整することができる。
【００１４】
そして、前記伝達機構７は、前記流量調整ハンドル６を用いて前記筒体４ａの回動操作を行うために設けられた機構であり、前記水栓本体５の上方に突出し、かつ前記筒体４ａと連動するスピンドル軸５６と、このスピンドル軸５６の外周に形成されたアウターセレーションに噛み合うインナーセレーションを有する円筒部５７とからなる。この構成では、流量調整ハンドル６を９０°回転させるだけで全閉から全開、あるいは、全開から全閉に操作できる。
【００１５】
更に、ハウジング１は、背板１０と、この背板１０が着脱可能な前蓋９とからなる。前蓋９は後方開口８を有し、係合時には前記背板１０は後方開口８に嵌め込まれる。
【００１６】
また、背板１０は、正面視略矩形に形成された金属製の薄板（厚みは１〜５ｍｍ）である。
【００１７】
一方、前記前蓋９は、合成樹脂製で、化粧ボックスとしての前面部９ａと、左側面部９ｂと、右側面部９ｃと、流量調整ハンドル６が配置される開口Ｓ1 を有する上面部９ｄと、下面部９ｅと、左側面部９ｂおよび前面部９ａ間に位置する傾斜左面部９ｆと、右側面部９ｃおよび前面部９ａ間に位置する傾斜右面部９ｇとよりなる。ｍは前蓋９の最前面である。上述したように、前蓋９は、前記背板１０によって覆われる後方開口８を有するが、この後方開口８は、両側面部９ｂ，９ｃ、傾斜左面部９ｆ、傾斜右面部９ｇ、上面部９ｄおよび下面部９ｅによって形成される。前記前蓋９の厚みも背板１０と同様、１〜５ｍｍと薄い。
【００１８】
また、前蓋９の上下方向（両矢印Ｚで示す方向）（Ｚ方向という）の長さＢは、５０〜２００ｍｍが好ましく、この実施形態では１０９．５ｍｍである。また、前蓋９の横方向（両矢印Ｘで示す方向）（Ｘ方向という）の長さＣは、５０〜２００ｍｍが好ましく、この実施形態では６７ｍｍである。また、前蓋９の幅方向（両矢印Ｙで示す方向）（Ｙ方向という）の長さＤは、２０〜１００ｍｍが好ましく、この実施形態では４７．６ｍｍである。更に、流量調整ハンドル６の上面部９ｄからのＺ方向への突出長さＥは０〜３５ｍｍが好ましく、この実施形態では２０ｍｍである。なお、６ａは流量調整ハンドル止めビスである。
【００１９】
そして、前記下面部９ｅは中央をＹ方向に切欠いた切欠き部（図示せず）を有する。
【００２０】
一方、背板１０のＸ方向の長さＦは、４５〜１９５ｍｍが好ましく、この実施形態では６２ｍｍである。また、背板１０のＺ方向の長さＧは、４５〜１９５ｍｍが好ましく、この実施形態では１０５ｍｍである。
【００２１】
１２は、背板１０の左右端１０ｂ，１０ｃの各上下位置と背板１０の上下端１０ｄ，１０ｅの各位置に設けた立ち上がり部で、外面ｇに係止溝（図示せず）を有する。一方、前蓋９の左右側面部９ｂ，９ｃの内面には、前記係止溝に対応する位置に係止爪（図示せず）が設けられており、前記係止溝と係止爪を介して前蓋９と背板１０は係合する。
【００２２】
前記前面部９ａの最前面ｍには開口Ｓ2 が形成されている。この開口Ｓ2 に流出口３が形成された流出パイプ１４が配置される。流出パイプ１４は流出口３をＸ方向に向けながら配置されている。この流出パイプ１４は筒状で、給水ホースの上流端に設けられた継手部材が接続される継手部として機能する。そして、流出パイプ１４の、前記前面部９ａ最前面ｍからの突出長さＫは０〜３０ｍｍが好ましく、この実施形態では１８．６ｍｍである。
【００２３】
また、下面部９ｅの前記切欠き部には、この切欠き部を横切る形でニップル２００がＺ方向に配置されている。このニップル２００は、中央に大径のフランジ２００ａを有するとともに、上下外周面に雄ねじを有する。一方、３０は、前記流入口２を有する流入部２ａに連通する流入パイプで、流入部２ａが嵌め込まれる穴４１ａを有するとともに、この穴４１ａの上流側における内周面に雌ねじが形成されている。流入部２ａは流入口２をＺ方向に向けながら配置されている。前記流入パイプ３０の雌ねじに前記ニップル２００の上側雄ねじが螺合している。
更に、３２は、前記ニップル１４の下側雄ねじに螺合する六角ナットで、前記金属製のフレキシブル管（延長管の一例）９４の他方端９７の先端９７ａに回動可能に装着されている。この六角ナット３２内にはフレキシブル管９４から流入パイプ３０に流入する水が漏れないようにシール用の環状のパッキン３１が内嵌される一方、六角ナット３２付きのフレキシブル管９４の前記先端９７ａにパッキン３１が外嵌されている。そのため、六角ナット３２をニップル１４の下雄ねじに螺合するだけの簡単な締付け作業で、前記金属製のフレキシブル管９４の他方端９７を水道用コンセントＶに接続できる。
【００２４】
更に、背板１０の第１の切欠き部１１には、この切欠き部１１を横切る形で流入口２が形成された流入パイプ１５が流入口２をＹ方向に向けながら配置されている。
【００２５】
３５は、前記背板１０を家屋等の外壁Ｗに取り付けるための留具の一例としてのビスで、背板１０の四隅にビス孔が設けられている。
【００２６】
また、前記背板１０には、左右の取付部４０，４０のうち、上取付部３６，３６を介して前記流入パイプ３０が取り付けられている。すなわち、４１は、流入パイプ３０の基部を構成する大径フランジで、前記大径フランジ４１の両側にそれぞれＬ型形状の左右の取付部４０，４０が設けられている。そして、取付部４０，４０は上取付部３６，３６と下取付部３７，３７を有する。この両取付部３６，３７にはねじ孔が形成されており、上取付部３６，３６のねじ孔にビス３８を螺合させることにより流入パイプ３０を背板１０に設けた取り付けねじ部３９に固定できる。
【００２７】
一方、４２，４２は、前記水栓本体５に設けた左右の取付部で、ビス孔が設けられており、このビス孔を介して、ビス３９を前記下取付部３７，３７の前記ねじ孔に螺合させることにより水栓本体５を大径フランジ４１に固定できる。
【００２８】
而して、前記金属製のフレキシブル管（延長管の一例）９４の他方端９７に接続されていた単水栓９８を取り外し、代わりに前記水道用コンセントＶを前記フレキシブル管９４に接続することで以下の利点を有する。
【００２９】
（１）図１３、図１４で示した単水栓９８の突出長さＡ（例えば１６０ｍｍ）に比して、水道用コンセントＶの壁面９６からの突出長さが、例えば６６．２ｍｍと短くでき、例えば、自動車１０８の設置場所のスペースが非常に狭くなっている場合でも自動車１０８を壁面９６一杯に駐車させることができる。
【００３０】
（２）また、セラミック製の弁体４を用いているので、耐久性があり、単水栓９８のように、パッキン８５が劣化するという問題がなくなる。
【００３１】
（３）更に、全開させるのに、単水栓９８では操作ハンドル８３を一回転以上させて栓棒８３ａを引っ張り上げるといった煩わしい操作を行う必要があったが、水道用コンセントＶを用いると、流量調整ハンドル６を９０°回転させるだけで全閉から全開に操作でき、操作性が良くなる。
【００３２】
なお、この実施形態では、給水配管９０ａに二つの出口を有する分岐用の継手９３を接続して給水配管９０ａから単水栓９０と水道用コンセントＶに給水する構成のものを示したが、この発明は、給水配管９０ａから水道用コンセントＶにだけ給水する構成のものにも適用できる。この場合、給水配管９０ａには継手として例えばエルボを用いることができる。
【００３３】
また、この実施形態では、延長管として金属製のフレキシブル管９４を用いたものを示したが、この発明では、合成樹脂製のフレキシブル管、あるいは、水道用架橋ポリブデン管または水道用架橋ポリエチレン管等の樹脂パイプを延長管として用いてもよい。
【００３４】
図４は、給湯器の出口側から分岐させた金属フレキシブル管の先端に水道用コンセントＶを増設したこの発明の第２の実施形態を示す。なお、図４において、図１〜図３、図１３、図１４に示した符号と同一のものは、同一または相当物である。
【００３５】
図４において、５０は給湯器で、家屋等の外壁面９６に沿って設置されている。一方、金属フレキシブル管９４を家屋等の外壁面９６に沿わせながら水道用コンセントＶに接続してある。すなわち、給湯器５０の出口側に接続された、二つの出口を有する分岐用の継手９３の一方出口部９３ａには前記金属フレキシブル管９４の一端９５が接続され、継手９３の他方出口部９３ｂは屋内に設置されている各種の湯水混合栓に接続される給湯パイプに連通している。なお、給湯器５０への給水は、給湯器５０直下に施工されている給水配管より行われている。
【００３６】
この実施形態では、家屋等の外壁面９６に沿わせながら金属フレキシブル管９４の他端９７を水道用コンセントＶに接続するとともに、この水道用コンセントＶの前記背板１０を木ねじ（ビスの一例）３５にて家屋等の外壁Ｗに取り付けて水道用コンセントＶを外壁面９６に設置してあるので、水道用コンセントＶの流出パイプ１４に給水ホースの上流端に設けられた継手部材を接続するだけで、例えば家屋の玄関先、庭先のような屋外で外壁面９６に隣接して位置する駐車場１０６にも湯を供給できる。そのため、寒い冬の日の屋外の水仕事によるつらさを解消できる。例えば車１０８の洗車や、外壁Ｗ・家屋の窓等の掃除、車１０８のフロントガラスや玄関先等の凍結の解凍、あるいは、スニーカー・マット等の洗濯等に大変有効である。また、わずかな時間で玄関先、庭先等に簡単に前記湯用の水道用コンセントＶを取り付けることができるので、例えばペットのシャンプー・子供のプール等にも利用できる。
【００３７】
なお、この実施形態では、給湯器５０の出口に分岐用の継手９３を接続して給湯器５０から屋内に設置されている各種の湯水混合栓と水道用コンセントＶに給湯する構成のものを示したが、この発明は、給湯器５０から水道用コンセントＶにだけ給湯する構成のものにも適用できる。この場合、給湯器５０の出口には継手として例えばエルボを用いることができる。
【００３８】
また、この実施形態では、延長管として金属製のフレキシブル管９４を用いたものを示したが、合成樹脂製のフレキシブル管、あるいは、水道用架橋ポリブデン管または水道用架橋ポリエチレン管等の樹脂パイプを延長管として用いてもよい。
【００３９】
図５は、水道用コンセントＶ’に設けられた流量調整ハンドル６をハウジング１の前面部９ａ’に形成された開口Ｓ1 に配置してある参考例を示す。なお、図５において、図１〜図４、図１３、図１４に示した符号と同一のものは、同一または相当物である。
【００４０】
この水道用コンセントＶ’は、例えば、特願２０００−  ３４９３号の明細書、図面に記載してある。この参考例では、上記第１，２の実施形態で用いた水道用コンセントＶの代わりにハウジング１の前蓋９’に流量調整ハンドル６を配置してある構成の水道用コンセントＶ’を適用している。
【００４１】
この場合、水道用コンセントＶ’の前記背板１０’の四隅に上記第１，２の実施形態で用いた背板１０に設けたのと同様のビス孔Ｔが設けられている。そして、背板１０’をビス３５にて家屋等の外壁Ｗに取り付けて水道用コンセントＶ’を外壁面９６に設置するだけで、駐車場等に水や湯を供給できる。なお、前蓋９’の上下方向（Ｚ方向という）の長さＢ’は、上記第１，２の実施形態の水道用コンセントＶの前蓋９の上下方向の長さＢに略等しい。
【００４２】
図６〜図１２は、上記第１，２の実施形態で用いた水道用コンセントＶのそれぞれの上下方向の長さよりも更に短い上下方向の長さを有するよう構成された水道用コンセントＶ’’の背板をビス３５にて家屋等の外壁Ｗに取り付けて水道用コンセントＶ’’を外壁面９６に設置することにより、駐車場１０６等にも湯や水を供給できるように構成したこの発明の第３の実施形態を示す。なお、図６〜図１２において、図１〜図５、図１３、図１４に示した符号と同一のものは、同一または相当物である。
【００４３】
この実施形態の水道用コンセントＶ’’と上記第１，２の実施形態で用いた水道用コンセントＶ（図３参照）との相違点は、次の二点である。
【００４４】
（１）金属製のフレキシブル管９４の他方端９７が接続される接続機構。
（２）給水ホースが接続される流出パイプ（継手部）と給水ホースの上流端に設けられた継手部材との接続機構。
【００４５】
まず、前記（１）で指摘した相違点について説明する。図６〜図１２において、水道用コンセントＶ’’の流入部２ａに連通する流入パイプ３０’に雄ねじ３０ａ’を形成し、この雄ねじ３０ａ’に図３（Ｂ）で示した六角ナット３２を締付けて六角ナット３２付きのフレキシブル管９４の他方端９７を流入パイプ３０’に直接接続してある。
【００４６】
そのため、例えば上記第１，２の実施形態で用いた水道用コンセントＶで用いたニップル２００〔図３（Ｂ）参照〕を不要にでき、その分、前蓋９’’の上下方向（Ｚ方向という）の長さＢ’’を、上記第１，２の実施形態の水道用コンセントＶの前蓋９の上下方向の長さＢよりも短くでき、水道用コンセントＶよりもよりコンパクトな水道用コンセントＶ’’を得ることができる。
【００４７】
比較すると、前記前蓋９のＺ方向の長さＢが例えば１０９．５ｍｍであったのに対し、前蓋９’’のＺ方向の長さＢ’’は６７．１ｍｍと短くなっている。
【００４８】
また、水道用コンセントＶの背板１０のＺ方向の長さＧ〔図３（Ａ）参照〕が１０５ｍｍであったのに対し、水道用コンセントＶ’’の背板１０’’のＺ方向の長さＧ’’は６２．８ｍｍと短くなっている。
【００４９】
水道用コンセントＶ’’のその他の寸法Ｃ，Ｄ，Ｅ，Ｆは、水道用コンセントＶのものと略等しい。
【００５０】
次に、前記（２）で指摘した相違点について説明する。
【００５１】
図６〜図１２において、係止手段２１０，２１１（図７参照）によって前蓋９’’を背板１０’’に係止したときに水栓本体５の流出口２０３に位置する開口２０１を前蓋９’’は有し、この開口２０１に前記流出口２０３にリング状の抜け止め部材２０６ａとシール部材２０６ｂを介して接続された継手部２０６が配置されている。この継手部２０６には、給水ホース２０４（図９参照）の上流端に設けられた継手部材２０５が着脱自在に接続される。
【００５２】
前記継手部２０６は、図３に示したような形状の継手部１４とは異なり、前記流出口２０３に連通するよう上流側に位置する筒状の水平部分２１１と、下流に位置する筒状の下向き傾斜部分２１２とよりなる。この下向き傾斜部分２１２は、水平部分２１１から所定角度θだけ下向きに傾斜するよう水平部分２１１に連設されており、前記継手部２０６との接続部分として機能する。
【００５３】
そして、継手部２０６と継手部材２０５の接続機構は、ワンタッチで継手部材２０５を継手部２０６に接続できたり、接続の解除ができるよう構成されているとともに、抜け止め部材２０６ａによって継手部２０６を流出口２０３のまわりに３６０°回転可能に構成されている。そのため、給水ホース２０４の継手部材２０５の向きにかかわらず、かつ、給水ホース２０４を折り曲げることなく継手部材２０５を継手部２０６に容易に接続できる。
【００５４】
すなわち、給水ホース２０４の継手部材２０５が接続された継手部２０６がくるくる回るとともに、継手部材２０５の着脱はワンタッチであるので、使い勝手がよい。
【００５５】
次に、継手部材２０５を継手部２０６に連結する際の動作について具体的に説明する。
【００５６】
継手部２０６に継手部材２０５が接続されていない状態では、継手本体２２０内において、ストップ弁２２１が弾性部材２２２によって常に下流側へ付勢されていることから、ストップ弁２２１の弁体部２２３のリング状シール部材２２４が、弁座部材２２５の弁座部２２６に当接した状態となっており、水が弁座部２２６を流通不能となっている。ストップ弁２２１は、弁座部材２２５に上流側から当接可能な弁体部２２３と、弁体部２２３の下流側に連設された突出部２７０と、弁体部２２３の上流側に連設された筒部２７９とよりなる。
【００５７】
一方、接続前において、前記継手部材２０５の摺動部材２３０は、その摺動可能範囲の最も上流に位置し、このとき、摺動部材２３０の突出部２３１は、係止部２３２のすぐ外側に位置する。２８０は、係止部２３２を構成する四つの貫通孔である。この状態では、前記突出部２３１はロックボール２３３を継手部材２０５の内側へ付勢し、このように付勢された前記ロックボール２３３は、継手部材２０５の内壁の内側へ突出することになる。そして、継手部材２０５の内壁の内側へ突出したロックボール２３３は、継手本体２２０が継手部材２０５の内部に進入することを阻止する。
【００５８】
そして、継手部材２０５の前記摺動部材２３０を下流側へ摺動させると、継手部材２０５を継手本体２２０に取り付けることが可能となる。つまり、摺動部材２３０を下流側へ摺動させると、前記係止部２３２のすぐ外側に位置していた前記突出部２３１がこの位置から下流側へ移動し、凹入部２３４が係止部２３２のすぐ外側に位置することになる。そして、この状態では、前記ロックボール２３３は継手部材２０５の内壁から凹入部２３４へと退避することが可能となり、継手本体２２０を継手部材２０５の内部へ進入させることが可能な状態（以下、進入可能状態という）となる。
【００５９】
上記進入可能状態にある継手部材２０５を、前記継手本体２２０に外嵌させると、まず、前記ストップ弁２２１の下流端部２３７が、前記継手部材２０５の内壁下流部に設けられた小径部２３８に上流側から当接する。そして、継手部材２０５をさらに継手本体２２０に深く差し込むと、前記小径部２３８が下流端部２３７を上流側へ付勢することになり、この付勢が弾性部材２２２による下流側への付勢よりも大きくなると、ストップ弁２２１が上流側へ摺動することになる。このようにストップ弁２２１が上流側へと摺動した状態では、弁座部２２６に当接していた弁体部２２３のシール部材２２４が、弁座部２２６から離れることになり、弁座部２２６を水が流通可能となる。なお、前記下流端部２３７の上流面から継手本体２２０の下流端までの距離は、弁体部２２３と弁座部２２６との間を充分にあけることができるように設定されている。
【００６０】
一方、継手部材２０５を継手本体２２０に可能な限り差し込んだ状態では、前記係止部２３２がロック溝部２４０のすぐ外側に位置することになる。そして、下流側へと摺動させていた前記摺動部材２３０をスプリング２４１の付勢に委ねると、摺動部材２３０は初期の位置に戻り、ロックボール２３３は前記突出部２３１により再び継手部材２０５の内側へ付勢される。このように付勢されたロックボール２３３は、継手本体２２０のロック溝部２４０に当接し、これにより継手部材２０５は継手部２０６から抜けないようにロックされる。
【００６１】
上記のように継手部２０６に継手部材２０５を連結した状態とすることで、継手部２０６の上流側から継手部材２０５を有する給水ホース３１へ水を送ることが可能となる。
【００６２】
継手本体２２０から継手部材２０５を外すには、上記のロックボール２３３とロック溝部２４０とによるロックを解除する必要があり、このロックの解除は、前記摺動部材２３０を下流側へ摺動させることで行うことができる。このロック解除の操作は、片手で行うことができる。
【００６３】
上記の構成からなる継手部２０６は、継手部材２０５が連結されていない状態では弁座部２２６を水が通れず、継手部材２０５が連結された状態でのみ弁座部２２６を水が流通可能となる。そのため、水道用コンセントＶ’’が開状態となっている場合に、子供のいたずらなどによって、継手部材２０５が不意に継手部２０６から外されたとしても、継手部２０６から湯や水が吐出されず、水漏れ事故などを未然に防ぐことができる。
【００６４】
【発明の効果】
以上説明したようにこの発明によれば、壁面からの突出長さを短くした状態で壁に取り付けられている既設の水栓に代えて容易に後施工できる。よって、例えば、自動車の設置場所のスペースが非常に狭くなっている場合でも自動車を壁面一杯に駐車させることができる。
【００６５】
また、全開させるのに、既設の水栓では操作ハンドルを一回転以上させて栓棒を引っ張り上げるといった煩わしい操作を行う必要があったが、流量調整ハンドルの操作性を向上できる。
【図面の簡単な説明】
【図１】  この発明の第１の実施形態を示す斜視図である。
【図２】  （Ａ）は、上記実施形態で用いた水道用コンセントの取り付け状態を上面側からみた図である。
（Ｂ）は、上記実施形態で用いた水道用コンセントを正面側からみた図である。
【図３】  （Ａ）は、上記実施形態で用いた水道用コンセントの前面部を取り外して正面側からみた図である。
（Ｂ）は、上記実施形態で用いた水道用コンセントの構成説明図である。
【図４】  この発明の第２の実施形態を示す斜視図である。
【図５】  参考例の水道用コンセントを示す構成説明図である。
【図６】  この発明の第３の実施形を示す構成説明図である。
【図７】  （Ａ）は、上記第３の実施形態で用いた水道用コンセントの前面部の正面図である。
（Ｂ）は、上記第３の実施形態で用いた水道用コンセントの前面部を取り外して正面側からみた図である。
【図８】  上記第３の実施形態で用いた水道用コンセントの取り付け状態を上面側からみた図である。
【図９】  上記第３の実施形態を示す斜視図である。
【図１０】  上記第３の実施形態で用いた簡易接続機構の接続前の状態を示す構成説明図である。
【図１１】  上記第３の実施形態で用いた簡易接続機構の接続状態を示す構成説明図である。
【図１２】  上記第３の実施形態で用いた簡易接続機構の継手部の分解斜視図である。
【図１３】  既設の散水器ホース接続用自在水栓を示す構成説明図である。
【図１４】  従来例を示す斜視図である。
【符号の説明】
１…ハウジング、２…流入口、３…流出口、４…弁体、５…水栓本体、６…流量調整ハンドル、７…伝達機構、９ｄ…ハウジング１の上面部、９０…既設の水栓、９０ａ…給水配管、９３…分岐用の継手、９４…金属製のフレキシブル管（延長管の一例）、９５…金属製のフレキシブル管の一方端、９６…外壁面、９７…金属製のフレキシブル管の他方端、Ｖ…水道用コンセント、Ｓ1 ，Ｓ2 …開口。
【図１】
0004441105.tif 000002
【図２】
0004441105.tif 000003
【図３】
0004441105.tif 000004
【図４】
0004441105.tif 000005
【図５】
0004441105.tif 000006
【図６】
0004441105.tif 000007
【図７】
0004441105.tif 000008
【図８】
0004441105.tif 000009
【図９】
0004441105.tif 000010
【図１０】
0004441105.tif 000011
【図１１】
0004441105.tif 000012
【図１２】
0004441105.tif 000013
【図１３】
0004441105.tif 000014
【図１４】
0004441105.tif 000015